(57)【要約】【課題】過去の大地震では、大津波、火災延焼、建物倒壊、噴煙被害を防げなかった。【解決手段】津波は、柱と柱同士を結ぶ横材で、補強壁を作り、その上部からシートを落下させ堤防としたり、補強壁の上に板を水平に載せ、津波時、回転させて堤防としたりする。火災延焼を防ぐには、建物の周りに柱を建て、柱を横の材料で固定し、上部に、巻き付けたシートを設置して、地震時に降ろし、建物をシートで包み込んで、延焼を防ぐ。建物倒壊を防ぐには、建物と建物の間にクッションを入れ、揺れるスペースをなくすことで倒壊を防ぐ。噴煙被害を防ぐには、噴火口に、シートを被せることで、上昇させず、横に誘導する。これらの手段を複合的に組み合わせる。【選択図】図４
2015068163.tif 000002
【特許請求の範囲】
【請求項１】
津波計と連動させ、又は、手動で、折りたたんだ構造物を、浮力を使い、海水を流入させながら、海中から浮かせたり、高所よりシートを編むように落下させたり、堤防そのものを回転させたりすることで、津波や洪水に抵抗させ、噴煙に対しては、リモート・コントロールのロボットで、周辺から帯を架け渡し、シートを被せ、噴煙の向きを横に変え、誘導パイプのフィルターで、火山灰を除却し、木造密集地では、家の周りに柱を建て、屋根部分を柱に、吊り上げるように固定して、火災時、柱上部よりシートを降ろし、家全体を包むことで、家の倒壊と延焼を防ぐと伴に、建物と建物の間にクッションを直接、又は、柱を建て、骨組を作って、間接的に入れることで、建物が揺れるスぺースを失くすなど、これらを、河沿い、河口、海岸線、沖合い、街の中に至るまで、その地形に合わせて、複合的に組み合わせて、かつ、高さを利用して、監視カメラ、発電設備、漁礁などを設置する。
【発明の詳細な説明】
【発明の概要】
【発明が解決しようとする課題】
【０００１】過去の大地震では、大津波、火災延焼、建物倒壊、噴煙被害を防げなかった。
【課題を解決するための手段】
【０００２】第１の手段は、重りの役目も果たす発電設備と漁礁部分の上に、折りたたんだ構造物を載せ、その上に、浮力を持った構造物を固定して、海中に沈めておき、津波計と連動させ、予備として手動で、折りたたんだ構造物を、浮力を利用して、海面に向って上昇させると同時に、海水を、折りたたんだ構造物の中に入れていき、堤防とする。【０００３】第２の手段は、構造物の最上部に、巻き付けたシートを固定させ、津波計と連動させ、予備として手動で、上部より落下させ堤防とする。【０００４】第３の手段は、構造物の上部に、板状の堤防を、海水面と平行に載せておき、津波計と連動させ、予備として手動で、回転させ堤防とする。【０００５】第４の手段は、主に木造住宅の周りに柱を建て、横材でつなぎ、最上部にシートを巻いて固定しておき、１階と２階の壁の最上部を帯状の材料で回し、１階と２階の屋根部分を、柱に吊り上げるような形で固定しておくことで、火災発生時、自動又は手動により、シートを落下させ、家全体を包み込み倒壊と延焼から守る。【０００６】第５の手段は、隣接する建物との空間が狭い時、クッションを入れることで、揺れを吸収させ、倒壊を防ぐ。【０００７】第６の手段は、噴火口にたくさんの帯を架け渡し、シートを被せ、噴煙を上昇させず、向きを変え誘導する。など、以上の手段を複合的に設置する。
【発明の効果】
【０００８】第１から第３の手段において、共通する効果は、大津波に対し、１時間位、逃げる時間が稼げるということであり、第１の手段では、通常は、漁業促進、発電、スキューバ・ダイビングや釣りなどの観光に使用し、海中なので大きさも自由に作れ、浮力のある構造物も分解して海中に戻せば、何度でも使え、又、海中なので、海の景観を壊わさない。【０００９】第２手段では、沖合では、発電設備を沢山付けているが、陸から遠いこともあり、景観に影響は小さいと考えられ、海岸線では、５ｍおきに横材や補強壁を設けるが、まったくの壁ではなく、棒材の組合わせであり、水平線を見ることは可能である。【００１０】必要に応じて大きさも自由であり、河川の堤防の上に、予備として設置すれば、津波が逆登る時、有効であるし、河浴いの柵の上に、直線的に降ろせるシートを設置すれば、大雨による洪水にも効果がある他、街中の区画ごとに高さ１００ｍ位のシートを降ろせば、延焼防止にもなり、又、陸に上った津波を止めることもできるし、山火事にも有効である。【００１１】第３の手段では、大型船の通交できるような大きさのものを作れば、高さを利用して、風力、太陽光、潮力などの発電が可能となり、高さ、空間により、宿泊施設など設ければ、観光にも使える。【００１２】第４の手段では、延焼と倒壊から家を守ると伴に、海、河に近い所では、上からシートを降ろす時、横材を入れて編むように降ろし、シートの端と端をファスナーで閉じることができれば、津波の直撃に耐えられると同時に、横材を利用して、園芸や洗濯物、夏はシートを下げて日蔭も作ることができる。【００１３】第５の手段では、ビル同士のオーナーの合意が必要だが、合意のとれない時でも、地震計と連動させ、強力なエアバックなどのクッションを膨らませることは可能であるし、合意がとれた時は、クッションだけでなく、ビル同士の、上部、中部、下部など主要箇所に、帯を周して一体化すれば、より制震効果がアップするし、クッションや帯を蛍光色にしておくと、夜はカラフルになり、防犯、観光にも役立つ。【００１４】第６の手段では、噴煙を上昇させないことで、公害を防げるなど、第１から第６までの手段を複合的に組み合わせることで、それぞれの効果も倍増する。
【図面の簡単な説明】
【００１５】
【図１】浮上式堤防（第１の手段）
【図２】高さ５０ｍの落下式堤防（第２の手段）
【図３】高さ５０ｍの非難所付き落下式堤防（第２の手段）
【図４】高さ１００ｍの落下式堤防（海側から見たイメージ図）（第２の手段）
【図５】高さ１００ｍの落下式堤防（Ａ−Ａ断面図）（第２の手段）
【図６】回転式堤防（第３の手段）
【図７】第２の手段、第４の手段、第５の手段、第６の手段
【発明を実施するための形態】
【００１６】第１の手段として、水面下７０ｍ位の海底に杭を打ち、仮に高さ約５０ｍ、幅１００ｍ、奥行１００ｍの構造物に、重りの役目をさせると伴に、内部は数ｍおきに仕切りを入れ、人工灯、魚の出入口、人間の通路を設け、通常は漁礁や、潮力発電を設置して使用し、この上に折りたたんだ構造物を載せ、その上に、浮力を持った構造物を固定する。
【００１７】大津波発生時、津波計と連動させ、自動又は予備として、手動による遠隔操作で、折りたたんだ構造物を解除し、浮力を持った構造物の力で、折りたたんだ構造物の上部、取水口と浮力を持った構造物の天井から、海水を流入させながら、海水面まで浮上させ、堤防を作る。
【００１８】第２の手段として、海岸線に沿って、５０ｍ位の柱を建てていき、仮りに高さ５ｍおきに横材で柱と柱を結び、海側海底の硬い地盤から柱まで、斜め材で補強し、陸側も、柱を支える補強壁を作る。
【００１９】一番上部に、重り付きシートを巻いたものを設置し、津波計と連動させ、又は手動による遠隔操作で、５ｍおきの横材に、上から、シートを編むように落としていくことで堤防を作る。
【００２０】海岸線の道路の上部に、屋根付き避難所を作る時は、道路の両側に柱を建てて並べ、高さ５ｍおきに、柱と柱を結び、海側は、重り付きシートを設置し、斜め材を硬い地盤まで打ち込み、陸側は、非常階段付きの補強壁を作る。
【００２１】第２の手段で、津波が河川を逆流した時、河川の堤防の上に適度な高さで設置したり、河と歩道の間の柵の上部に、重り付きシートを設置し、手動で直線的に柵の下の河川の底まで降ろす。
【００２２】沖合いで、１００ｍ位の高さで、タンカーや客船が通るスペースを確保し横に並べ、柱を斜め材で補強し、土台の補強壁は杭を打ち、高さを利用して風力、潮力などの発電に利用し、監視カメラ、漁礁も設ける。
【００２３】第３の手段は、大型船が通交できるように、海水面上１００ｍの補強壁の上に、板状の堤防を、後ろ側半分１１０ｍ分を、海水面と平行して載せておき、前側半分１２０ｍ分は、補強壁より海上に突き出るようにして、ワイヤーなどで固定し、津波発生時、津波計と連動させ、又は、手動による遠隔操作により、固定を解除して、前部の重みで回転させ、結果として、高さ２３０ｍの堤防とする。
【００２４】通常は、補強壁の側面には、風力や潮力発電設備を設置し、上部屋根には、板状の堤防を載せ、固定させるためのワイヤーなどの管理室や、風力発電を設置し、堤防自体も、ソーラーパネルを張り付ける。
【００２５】第４の手段として、主に、木造家屋の敷地の四隅や、主要場所に、柱を建て、横材で結び安定させ、最上部に、シートを巻いたものを固定させて、地震計と連動させ、又は、手動操作により、シートを降ろし、家全体を包み込む。
【００２６】延焼を防ぐ目的を達成するため、まず、倒壊を防ぐ必要があり、１階と２階の壁の最上部を厚さ１０ｃｍ位の帯状の材料で回し、柱に吊り上げるようにして固定する。
【００２７】第５の手段は、建物と建物の間の空間が狭い時は、直接、クッションを揺れの起こりそうな所に入れ、固定し、少し広い空間の時は、柱を建て、これを骨組みとして、必要部分にクッションを入れ、設置していく。
【００２８】第６の手段は、噴火口の周りから、ロボットを使い、数１００ｍの帯をたくさん架け渡し周辺より、シートを被せ、噴火口を小さくしていき、Ｌ字型の誘導パイプをはめ込み、たくさんのフィルター付きパイプに技別れさせ、途中で何度も、火山灰を濾過しながら、固形化させ、除却していく。
【図１】
2015068163.tif 000003
【図２】
2015068163.tif 000004
【図３】
2015068163.tif 000005
【図４】
2015068163.tif 000006
【図５】
2015068163.tif 000007
【図６】
2015068163.tif 000008
【図７】
2015068163.tif 000009
【手続補正書】
【提出日】平成26年6月23日(2014.6.23)
【手続補正１】
【補正対象書類名】明細書
【補正対象項目名】全文
【補正方法】変更
【補正の内容】
【発明の詳細な説明】
【発明の概要】
【発明が解決しようとする課題】
【０００１】過去の大地震では、大津波、火災延焼、建物倒壊、噴煙被害を防げなかった。
【課題を解決するための手段】
【０００２】第１の手段では、補強壁の最上部に、巻き付けたシートを固定し、落下させ、堤防とする。【０００３】第２の手段は、補強壁の屋根に、板状の堤防を、海水面と平行に載せておき、回転させて堤防とする。【０００４】第３の手段は、主に木造住宅の周りに柱を建て、横材でつなぎ、最上部に、巻いたシートを固定しておき、１階と２階の壁の上部を、帯状の材料で回し、１階と２階の屋根部分を柱に吊り上げるような形で固定しておくことで、火災発生時、自動又は手動により、シートを落下させ、家全体を包み込み、倒壊と延焼から守る。【０００５】第４の手段は、建物と建物の間に、クッションを入れることで、揺れを吸収させ、倒壊を防ぎ、超高層建物の頭を、クッションの重みで固定したり、杭の中にクッションを入れる。【０００６】第５の手段は、噴火口に、たくさんの帯を架け渡し、シートを被せ、噴煙を上昇させず、向きを変え誘導する。以上の手段を複合的に設置する。
【発明の効果】
【０００７】第１と第２の手段において、共通する効果は、大津波に対し、１時間位、逃げる時間が稼げるということであり、第１の手段では、沖合では、発電設備を沢山付けているが、陸から遠いこともあり、景観に影響は小さく、海岸線では、仮りに５ｍおきの横材や補強壁を設けるが、まったくの壁ではなく、棒材の組合わせであり、水平線を見ることは可能であるし、沖合から海岸線までの間の海中部分に、いくつか設置すると、海中と海底を流れてくる津波の力を弱めることができる。【０００８】必要に応じて大きさも自由であり、河川の堤防の上に、予備として設置すれば、津波が逆登る時、有効であるし、河沿いの柵の上に、巻き付けたシートを設置すれば、大雨による洪水にも効果がある他、街中の区画ごとに高さ１００ｍ位のシートを降ろせば、延焼防止にもなり、又、陸に上った津波を止めることもできるし、山火事にも有効である。【０００９】第２の手段では、大型船の通行できるような大きさのものを作れば、高さを利用して、風力、太陽光、潮力などの発電が可能となり、高さ、空間、設置場所により、公営住宅、観光宿泊施設などの付加価値も付けられる。【００１０】第３の手段では、延焼と倒壊から家を守ると伴に、海、河に近い所では、上からシートを降ろす時、横材を入れて編むようにできれば、津波の直撃に耐えられる【００１１】第４の手段では、ビル同士のオーナーの合意が必要だが、合意のとれない時でも、地震計と連動させ、強力なエアバックなどのクッションを膨らませることは可能であるし、合意がとれた時は、クッションだけでなく、ビル同士の上部、中部、下部など主要箇所に、帯を周して一体化すれば、より制震効果がアップするし、クッションや帯を蛍光色にしておくと、夜はカラフルになり、防犯、観光にも役立つ。【００１２】第５の手段では、噴煙を上昇させないことで、公害を防げる。など、第１から第５までの手段を複合的に組み合わせることで、それぞれの効果も培増する。
【図面の簡単な説明】
【００１３】
【図１】第１の手段、第２の手段（図面は全て、イメージである）
【図２】第１の手段
【図３】第１の手段
【図４】第２の手段
【図５】第３の手段、第４の手段、第５の手段
【発明を実施するための形態】
【００１４】第１の手段として、海岸線に沿って、５０ｍ位の柱を建てていき、仮りに高さ５ｍおきに横材で、柱と柱を結び、海側海底の硬い地盤から柱まで、斜め材で補強し、陸側も、柱を支える補強壁を作り、一番上部に、重り付きシートを巻いたものを設置し、手動や自動での操作で、５ｍおきの横材に、上からシートを編むように落としていくことで堤防とする。
【００１５】海岸線の道路の上部に、屋根付き避難所を作る時は、道路の両側に柱を建てて並べ、高さ５ｍおきに、柱と柱を結び、海側は、重り付きシートを設置し、斜め材を硬い地盤まで打ち込み、陸側は、非常階段付きの補強壁を作る。
【００１６】第１の手段で、津波が河川を逆流した時、河川の堤防の上に適度な高さで設置したり、河と歩道の間の柵の上部に、重り付きシートを設置し、手動や自動による操作で落下させる。
【００１７】沖合いで、１００ｍ位の高さで、タンカーや客船が通るスペースを確保し、横に並べ、柱を斜め材で補強し、補強壁は杭を打ち、高さを利用して風力、潮力などの発電に利用し、監視カメラ、漁礁を設ける。
【００１８】第２の手段は、大型船が通行できるように、海水面上１００ｍの補強壁の上に、板状の堤防を後ろ側半分１１０ｍ分を、海水面と平行して載せておき、前側半分１２０ｍ分は、補強壁より海上に突き出るようにして、ワイヤーなどで固定し、津波発生時、自動や手動操作により、固定を解除して、前部の重みで回転させ、高さ２３０ｍの堤防とする。
【００１９】補強壁の側面には、風力や潮力発電を設置し、屋根には、板状の堤防を載せ、固定させるためのワイヤーなどの管理室や、風力発電を設置し、堤防自体も、ソーラーパネルを張り付ける。
【００２０】第３の手段として、主に、木造家屋の敷地の四隅や、主要場所に、柱を建て、横材で結び最上部に、シートを巻いたものを固定させて、地震計と連動させ、又は、手動操作によりシートを降ろし、家全体を包み込むが、延焼を防ぐ目的を達成するため、倒壊を防ぐ必要があり、１階と２階の壁の上部を、厚さ１０ｃｍ位の帯状の材料で回し、柱に吊り上げるようにして固定する。
【００２１】第４の手段は、建物と建物の間の空間が狭い時は、直接、クッションを揺れの起こりそうな所に入れ、固定し、少し広い空間の時は、柱を建て、これを骨組みとして、必要部分にクッションを入れ、設置していく。
【００２２】第５の手段は、噴火口の周りから、ロボットを使い、数１００ｍの帯をたくさん架け渡し周辺より、シートを被せ、噴火口を小さくしていき、誘導パイプをはめ込み、たくさんのフィルター付きパイプに枝別れさせ、途中で何度も、火山灰を濾過しながら、固形化させ除却していく。
【手続補正２】
【補正対象書類名】特許請求の範囲
【補正対象項目名】全文
【補正方法】変更
【補正の内容】
【特許請求の範囲】
【請求項１】
堤防の発明は、落下式と回転式の２つがあり、落下式堤防とは、柱と横材で、補強壁を作り、最上部に、重り付きシートを巻いたものを固定し、自動や、手動による遠隔操作で、横材を編むように、誘導管によって落下させ、津波に対する堤防とするもので、強度を増すために、海側海底の硬い地盤から、斜め材で、柱や補強壁と固定し、補強壁自体も、海底に杭を打ち、この堤防の大きさや、設置する場所により、価値を高めるため、公営住宅観光宿泊施設、発電設備、漁礁、避難所、監視カメラを設けることができ、川の両岸の、従来の堤防の上に、落下式堤防を設置し、その上部を、直接、又は川の中に柱を建て、横材で、対岸の落下式堤防の上部と固定し、水圧に耐えられるよう補強すれば、大洪水や津波で逆流した時に、有効であるし、河沿いの柵の上に、上流からの水流が、柵とシートの間に入らないように、シートの上流側の端に、進入防護板と、シートを安定させるための外側の柵を、設置すれば、柵の高さまでの洪水や、津波での逆流にも耐えられる他、街中の、例えば、区画ごとに、高さ１００ｍ位のシートを降ろせば、延焼防止、台風、竜巻の暴風対策に使え、陸に上った津波を止めたり、山に設置することで、山火事の延焼防止、石油コンビナートを囲めば、海に流れ出た石油の拡散防止と延焼防止に使えるものであり又、沖合の海中や、海底部分に設置すれば、海中や、海底部分を流れてくる津波の力を、弱めることができるものであり、もう１つの堤防である、回転式堤防とは、大型船が通行できるように、仮りに海水面上、１００ｍの高さの柱と横材で作った補強壁の屋根部分に板状の堤防を、海水面と平行に載せ、前側半分、仮りに１２０ｍ分を、屋根より海上に、突き出るようにして載せ、後ろ側半分、１１０ｍ分の後ろ部分を、ワイヤーなどで固定し津波発生時、自動や手動による遠隔操作で、固定を解除して、前部の重みで、回転させ、堤防とするものであるが、津波時の水位上昇による堤防破壊のおそれがある時は、堤防の最後部から７０ｍの位置に、回転軸を付け、回転時、堤防が垂直になると伴に、堤防最後部だけは、屋根上をスライドし、所定の溝に、はまり固定され、三角形を作ることで、７０ｍ分の、つっかえ棒の役目をする、つっかえ板を作ることができ、場所と大きさを変えることで、海沿いの、従来のコンクリート堤防の上に設置すれば、景観を壊さずに、コンクリート堤防の補強ができるし、上陸した津波を止めるために、道路の上に設置することもでき、陸上で使う時は、日蔭を防止するため、堤防を二重に重ね、上の堤防だけ、陸側に、仮りに、２ｍずらした状態で、２ｍ四方の採光穴を、必要な数、開けておくと、回転した時は、２ｍずらして開けた穴が、前方向にずれて、穴は塞がれ、堤防の役目を果たすことができ、付加価値としては、海側海底から斜め材で補強したり、監視カメラや漁礁、風力や潮力などの発電設備、公営住宅、屋根部分に、風力発電やワイヤーなどの管理室、避難所、観光宿泊施設、堤防上部には、ソーラーパネルを張り付けたものである。
【請求項２】
家の倒壊と延焼を防ぐ発明は、敷地の四隅や主要場所に、硬い地盤まで打ち込んで柱を建て、横材で結び、家屋の１階と２階の壁の上部を、帯状の材料で回し、柱に吊り上げるようにして固定し、柱の最上部に、重り付きシートを巻いたものを固定し、火災発生時に、地震計と連動させ、又は、手動操作で、シートを降ろし、家全体を包み込むもので、柱に誘導管を付け、シートで編むように降ろせば、強度を増すことができるものである。
【請求項３】
建物倒壊を防ぐ発明は、建物と建物の間の空間が狭い時は、地上や地下に、直接、クッションを入れて固定し、少し広い空間では、硬い地盤まで杭を打ち、補強した柱を建て、これを骨組みとして、地上や地下の必要部分に、クッションを入れるものであるが、柱を挟んだ一方の建物が、超高層建物の時は、柱を建物の最上部まで伸ばし、反対側にも柱を建て、屋根上部で、横材で結び、柱の上部に設置した、回転軸付きのクッションを、地震計と連動、又は手動で、固定状態から解除して、超高層建物の最上部が揺れる前に、両側から、クッションの重みで、押え付けるように挟み込み、又は、初めから挟み込んだ状態にしておくものであり、付加価値としては、隣接する建物と、主要部分において、帯状の材料で、建物同士の外壁を周し、一体化することで、より制震性を高めることができるものであり、又、クッションの構成要素である骨組の強度を強めて、空間を作ることで、地震時の緊急車両や、避難者の通路を作ることが可能となり、地下部分は、建物と建物の間のクッションと、建物から硬い地盤までの杭の中に、クッションを入れることで、地盤を伝わってくる地震動の軽減に、役立たせるものである。
【請求項４】
火山灰を除却する発明は、大きい噴火口においては、ロボットによって、数１００ｍの長さの帯を、たくさん、噴火口の周りから、架け渡し、固定し、周辺より、シートを被せ継ぎながら、噴火口を小さくしてゆき、誘導パイプを、複数はめ込み、たくさんのフィルター付パイプに枝別れさせ、途中で、何度も、火山灰を濾過しながら、固定化させ、除却していくが、噴火する場所が、前もって判っていて、しかも、小さい時は、誘導パイプ付きのシートを、前もって載せておき、固定するが、それが不可能な時は、誘導パイプ付きの幅の広い帯、又はシートを使い、数回で塞げるようにしたり、噴火前に、すでに、網状の幅の広い帯、又はシートに、誘導パイプの付いたものを、常時、火口の周辺部から、架け渡し、又は被せ、火口の中に、たわませた状態で固定し、火口以外の噴火の起こりそうな所には、あらかじめ、広い範囲で網を張っておくことで、いつ、噴火爆発を起こしても噴石の飛散防止や、噴煙上昇防止のためのシートの設置が、容易にできるようにしたものである。
【手続補正４】
【補正対象書類名】図面
【補正対象項目名】全図
【補正方法】変更
【補正の内容】
【図１】
2015068163.tif 000010
【図２】
2015068163.tif 000011
【図３】
2015068163.tif 000012
【図４】
2015068163.tif 000013
【図５】
2015068163.tif 000014